(57)【要約】【課題】家庭ごみとして廃棄できる寸法まで容易に細かく破壊して廃棄することのできる薄畳を提供する。【解決手段】薄畳を、厚さＴ０が５〜３５ｍｍに設定された畳床芯材１２と、畳表とを備えたものとし、畳床芯材１２の破断を補助するための破断補助溝α１〜αＭ（Ｍは１以上の任意の整数）と破断補助溝β１〜βＮ（Ｎは１以上の任意の整数）とを設けた。破断補助溝αｍ（ｍは１以上でＭ−１以下の任意の整数）と破断補助溝αｍの隣に設けられた破断補助溝αｍ＋１との間隔Ｄα、及び破断補助溝βｎ（ｎは１以上でＮ−１以下の任意の整数）と破断補助溝βｎの隣に設けられた破断補助溝βｎ＋１との間隔Ｄβは、いずれも５〜６０ｃｍに設定すると好ましい。【選択図】図５
2008038363.tif 000002
【特許請求の範囲】
【請求項１】
畳床芯材と畳表とを備え、畳床芯材の厚さＴ０が５〜３５ｍｍに設定された薄畳であって、畳床芯材の破断を補助するための破断補助溝が畳床芯材の表面又は裏面に設けられていることを特徴とする薄畳。
【請求項２】
畳床芯材における破断補助溝が設けられていない部分の厚さＴ０［ｍｍ］と、畳床芯材における破断補助溝が設けられた部分の厚さＴ１［ｍｍ］とが下記式１を満たす請求項１記載の薄畳。
【数１】
2008038363.tif 000007
【請求項３】
破断補助溝の幅Ｗが０．１〜２０ｍｍに設定された請求項１又は２記載の薄畳。
【請求項４】
互いに平行なＭ本（Ｍは１以上の任意の整数）の破断補助溝α１〜αＭと、破断補助溝α１〜αＭに垂直で互いに平行なＮ本（Ｎは１以上の任意の整数）の破断補助溝β１〜βＮとが設けられた請求項１〜３いずれか記載の薄畳。
【請求項５】
破断補助溝αｍ（ｍは１以上でＭ−１以下の任意の整数）と破断補助溝αｍの隣に設けられた破断補助溝αｍ＋１との間隔Ｄα、及び破断補助溝βｎ（ｎは１以上でＮ−１以下の任意の整数）と破断補助溝βｎの隣に設けられた破断補助溝βｎ＋１との間隔Ｄβがいずれも５〜６０ｃｍに設定された請求項４記載の薄畳。
【請求項６】
畳床芯材の表面と裏面の双方に破断補助溝が設けられ、畳床芯材の表面に設けられた破断補助溝と畳床芯材の裏面に設けられた破断補助溝とが重なる位置に配された請求項１〜５いずれか記載の薄畳。
【請求項７】
破断補助溝の位置を示すための破断目印が表出裏面に記された請求項１〜６いずれか記載の薄畳。
【請求項８】
畳床芯材がインシュレーションファイバーボードである請求項１〜７いずれか記載の薄畳。
【発明の詳細な説明】
【技術分野】
【０００１】
本発明は、一般的な畳と比較して厚さの薄い薄畳に関する。
【背景技術】
【０００２】
高齢化社会の進展に伴って、床に段差のないバリアフリー化された住宅が増加しつつある。しかし、洋室に用いられる一般的な床板の厚さは５〜２０ｍｍ程度であったのに対して、和室に用いられる一般的な畳の厚さは５５ｍｍ程度とかなり厚く、洋室と和室の床の段差をなくすためには、洋室の下地床を上げたり、和室の大引きを下げたりなどの対策を施す必要があり、住宅の設計や施工が複雑になっていた。
【０００３】
このような実状に鑑みてか、近年には、厚さが２０ｍｍ程度の薄畳が市場に出回るようになってきている（例えば特許文献１）。これにより、住宅の設計や施工を大きく変更することなく、洋室と和室の床の段差を小さく抑えることが可能になる。この薄畳は、洋室の床板などの上に敷かれる置き畳としても用いられ、洋室を和洋折衷のお洒落な部屋へ変更したり、洋室を和室へ変更したりするためなどにも用いられている。
【０００４】
薄畳は、これまでに種々のものが提案されており、例えば、発泡樹脂で形成した畳床芯材に溝を設けて、畳床芯材を部分的に薄く形成したものが提案されている（例えば特許文献２）。これにより、畳床芯材の強度や柔軟性を維持しながらも、施工後の薄畳に生じうる反りなどの変形を防止することが可能になるとされている。
【０００５】
【特許文献１】特許登録第２７７９８７７号公報（特許請求の範囲、図１）
【特許文献２】特開２０００−１７０３６０号公報（特許請求の範囲、［０００５］、［００２８］、図１）
【発明の開示】
【発明が解決しようとする課題】
【０００６】
薄畳は、施工が容易で使い勝手がよく、それに対する需要は、今後もさらに高まっていくことが予想されるが、薄畳を家庭ごみとして廃棄するためには、畳床芯材を小さく破壊しなければならず、多大な労力を要していた。本発明は、上記課題を解決するためになされたものであり、家庭ごみとして廃棄できる寸法まで容易に細かく破壊して廃棄することのできる薄畳を提供するものである。
【課題を解決するための手段】
【０００７】
上記課題は、畳床芯材と畳表とを備え、畳床芯材の厚さＴ０が５〜３５ｍｍに設定された薄畳であって、畳床芯材の破断を補助するための破断補助溝が畳床芯材の表面又は裏面に設けられていることを特徴とする薄畳を提供することによって解決される。これにより、畳床芯材を折り曲げて破断補助溝に沿った部分で破断することが可能になり、家庭ごみとして廃棄することのできる寸法となるまで畳床芯材を容易に破壊することができるようになる。したがって、薄畳の廃棄にかかる手間やコストを削減することができるようになる。
【０００８】
本発明の薄畳において、破断補助溝は、人力で、若しくはカッターや鋏などの簡単な手動工具を用いて畳床芯材の破断を可能とする形態のものであれば特に限定されない。破断補助溝は、連続線状に設けられたものであってもよいし、破線状（不連続線状）に設けられたものであってもよい。破断補助溝の形成方法も特に限定されないが、ナイフやチップソーなどを用いると破断補助溝を容易に形成することができる。
【０００９】
また、本発明の薄畳において、畳床芯材は、畳床から後述する保護材や裏面材などを取り除いた部分のことをいい、実質的に薄畳の芯材として機能する部分（薄畳の形状を保つことができるように薄畳に強度を付与する部分）のことをいう。畳床芯材は、１枚の板材で形成される場合もあるし、複数枚の板材やシート材を重ね合わせて形成される場合もある。また、畳床芯材は、不織布を圧縮して形成される場合もある。
【００１０】
畳床芯材における破断補助溝が設けられた部分の厚さＴ１［ｍｍ］は、畳床芯材における破断補助溝が設けられていない部分の厚さＴ０［ｍｍ］よりも小さければ特に限定されないが、下記式１を満たす範囲に設定されていると好ましい。これにより、畳床芯材に適度な破断強度を付与することが可能になる。したがって、使用時の薄畳に加えられる荷重（例えば、薄畳の上を歩く人の体重など）によって畳床芯材が自然に破断するのを防止しながらも、畳床芯材に意識的に力を加えた際には、畳床芯材を容易に破断することができるようになる。
【数２】
2008038363.tif 000003
【００１１】
参考までに、上記式１を用いて、厚さＴ０が５ｍｍ、１０ｍｍ、１５ｍｍ、２０ｍｍ、２５ｍｍ、３０ｍｍ、３５ｍｍであるそれぞれの場合について、厚さＴ１の範囲を具体的に求めると、下記表１のようになる。
【表１】
2008038363.tif 000004
【００１２】
さらに、破断補助溝の幅Ｗも特に限定されないが、破断補助溝を狭くしすぎると、畳床芯材に意識的な力を加えた際であっても、畳床芯材が破断しなくなるおそれがある。一方、破断補助溝を広くしすぎると、薄畳の表面に凹凸が形成されたり、使用時の薄畳に加えられる荷重によって畳床芯材が自然に破断するおそれがある。このため、破断補助溝の幅Ｗは、通常、０．１〜２０ｍｍに設定される。
【００１３】
さらにまた、破断補助溝の本数や配置も特に限定されないが、畳床芯材の表面又は裏面に、互いに平行なＭ本（Ｍは１以上の任意の整数）の破断補助溝α１〜αＭと、破断補助溝α１〜αＭに垂直で互いに平行なＮ本（Ｎは１以上の任意の整数）の破断補助溝β１〜βＮを設けると好ましい。このように、破断補助溝を格子状に形成することによって、畳床芯材を矩形に破断することが可能になり、破断後の畳床芯材をまとめやすくすることができる。
【００１４】
このとき、破断補助溝αｍ（ｍは１以上でＭ−１以下の任意の整数）と破断補助溝αｍの隣に設けられた破断補助溝αｍ＋１との間隔Ｄαや、破断補助溝βｎ（ｎは１以上でＮ−１以下の任意の整数）と破断補助溝βｎの隣に設けられた破断補助溝βｎ＋１との間隔Ｄβは、特に限定されない。しかし、間隔Ｄαや間隔Ｄβを狭くしすぎると、畳床芯材の破断作業が困難になるおそれがある。一方、間隔Ｄαや間隔Ｄβを広くしすぎると、畳床芯材を家庭ごみとして廃棄できる寸法まで容易に破壊できなくなるおそれもある。このため、間隔Ｄα及び間隔Ｄβは、通常、５〜６０ｃｍに設定される。
【００１５】
本発明の薄畳において、畳床芯材の表面と裏面の双方に破断補助溝を設けて、畳床芯材の表面に設けた破断補助溝と畳床芯材の裏面に設けた破断補助溝とを重なる位置（畳床芯材の厚さ方向に重なる位置）に配することも好ましい。これにより、薄畳を破断補助溝に沿ってさらに容易に破断することが可能になる。この構成は、畳床芯材が厚い場合に、特に畳床芯材の厚さＴ１が２０ｍｍ以上である場合に採用すると好適である。
【００１６】
また、破断補助溝の位置を示すための破断目印を薄畳の表出裏面に記すことも好ましい。これにより、畳床芯材の裏面に滑り止め材や裏面材が張られている場合であっても、破断補助溝が設けられた位置を薄畳の裏側から認識することが可能になる。したがって、破断目印を目安にしながら滑り止め材や裏面材を破断補助溝に沿って切断することが可能になり、畳床芯材の破断作業を容易に行うことができるようになる。
【００１７】
破断目印は、破断補助溝の位置を示す形態のものであればとくに限定されず、図形、文字、記号、色彩、又はこれらの結合が例示される。なかでも、破断補助溝に沿って設けた線状の図形を破断目印とすると好ましい。これにより、滑り止め材や裏面材に破断目印に沿ってカッターなどの刃を入れることが可能になり、畳床芯材を破断補助溝に沿って容易に破断することもできるようになる。
【００１８】
ここで、表出裏面（ひょうしゅつりめん）とは、薄畳を裏側から見た際に見える面のことをいい、必ずしも畳床芯材の裏面に一致しない。すなわち、畳床芯材の裏面に何も張られておらず、薄畳を裏側から見た際に畳床芯材の裏面が見える場合には、表出裏面は畳床芯材の裏面に一致するものの、畳床芯材の裏面に裏面材が張られており、薄畳を裏側から見た際に裏面材の裏面が見える場合には、表出裏面は裏面材の裏面に一致する。
【００１９】
さらに、畳床芯材に用いる素材も特に限定されず、インシュレーションファイバーボードや、樹脂製硬質発泡ボードや、アクリルボードや、紙製ボードなどを畳床芯材として好適に用いることができる。なかでも、インシュレーションファイバーボードは、断熱性や吸放湿性や吸音性に優れているだけでなく、軽量で寸法安定性にも優れ加工が容易であるために、畳床芯材として好適に用いることができる。
【発明の効果】
【００２０】
以上のように、本発明によって、家庭ごみとして廃棄できる寸法まで容易に細かく破壊して廃棄することのできる薄畳を提供することが可能になる。
【発明を実施するための最良の形態】
【００２１】
本発明の薄畳の好適な実施態様を、図面を用いてより具体的に説明する。図１は、本発明の薄畳１０を破断した状態を示した斜視図である。図２は、本発明の薄畳１０を破断補助溝１５に垂直な面で切断して拡大した拡大断面図である。図３は、他の実施態様の薄畳１０を破断補助溝１５に垂直な面で切断して拡大した拡大断面図である。図４は、さらに別の実施態様の薄畳１０を破断補助溝１５に垂直な面で切断して拡大した拡大断面図である。図５は、本発明の薄畳１０を構成する畳床芯材１２の表面又は裏面を示した図である。図６は、本発明の薄畳１０を構成する裏面材１４の裏面（薄畳の表出裏面）を示した図である。
【００２２】
１．薄畳の全体構成
本実施態様の薄畳１０は、図１に示すように、畳床芯材１２の表側に畳表１１を配したものとなっている。畳表１１と畳床芯材１２との間には、何も配さなくてもよいが、薄畳１０の使用形態などに応じて、「  ＪＩＳ  Ａ  ５９１４  建材畳床  」に規定される、クッション材、補強材、保護材、若しくはこれらに類似する他のシート材や板材などを配すると好ましい。これにより、畳床芯材１２のクッション性や耐圧性を高めたり、畳床芯材１２から繊維片などが飛散するのを防止したりすることが可能になる。本実施態様の薄畳１０においては、畳表１１と畳床芯材１２との間に、ポリウレタン製のシートからなるクッション材１３を配している。
【００２３】
一方、畳床芯材１２の裏面にも、何も配さなくてもよいが、薄畳１０の使用形態などに応じて、滑り止め材や、「  ＪＩＳ  Ａ  ５９１４  建材畳床  」に規定される裏面材、若しくはこれらに類似するシート材や板材などを配すると好ましい。例えば、畳床芯材１２の裏面に、ポリエステルやポリプロピレンなどの合成樹脂製のフラットヤーンで形成された低伸度のシート材を配すると、薄畳１０の反りを防止するだけでなく、薄畳１０の強度を向上させることができる。また、畳床芯材１２の裏面に、不織布など、摩擦係数や伸度が比較的大きく、引張強度の低い素材を配すると、薄畳１０の滑りを防止するだけでなく、薄畳１０を手で折り曲げただけで破壊することも可能になる。本実施態様の薄畳１０においては、畳床芯材１２の裏面に、不織布からなる滑り止め材１４を配している。
【００２４】
薄畳１０の周縁部は、通常、図示省略の畳縁や木枠などによって覆われる。また、畳表１１を畳床芯材１２の裏側に巻き込んで、薄畳１０の周縁部を畳表１１で覆うと、薄畳１０をいわゆる縁なし畳とすることもできる。
【００２５】
薄畳１０の平面視形状（薄畳１０を表側又は裏側から見た場合の形状）は、通常、四角形や正六角形などの敷き詰めることが可能な形状とされる。薄畳１０の平面視形状としては、長方形（正方形を含む）が最も一般的である。本実施態様の薄畳１０の平面視形状も長方形となっている。しかし、薄畳１０のデザインに変化を持たせたい場合などには、薄畳１０の平面視形状を丸形や星形にすることもできる。
【００２６】
薄畳１０の面積は、特に限定されないが、小さすぎると、必要な薄畳１０の枚数が著しく増加して、薄畳１０の施工が煩雑になるおそれがある。また、薄畳１０をそのまま家庭ごみとして廃棄できるようになり、畳床芯材１２に破断補助溝１５を設ける意義が低下するおそれもある。このため、薄畳１０の面積は、通常、０．１ｍ２以上に設定される。薄畳１０の面積は、０．３ｍ２以上であると好ましく、０．５ｍ２以上であるとより好ましい。
【００２７】
一方、薄畳１０の面積を大きくしすぎると、薄畳１０の寸法や重量が大きくなり、薄畳１０の運搬や施工が困難になるおそれがある。このため、薄畳１０の面積は、通常、３ｍ２以下に設定される。薄畳１０の面積は、２．５ｍ２以下であると好ましく、２ｍ２以下であるとより好ましい。本実施態様の薄畳１０は、長辺（縦）の長さが１６４ｃｍで短辺（横）の長さが８２ｃｍの長方形のものとなっており、その面積は、約１．３４ｍ２となっている。この他、縦と横の長さがいずれも８２ｃｍの正方形（面積が約０．６７ｍ２）である半畳タイプ（図示省略）も用意している。
【００２８】
２．畳床芯材
畳床芯材１２は、薄畳１０の形状を保つことができるように薄畳１０に強度を付与するための部分となっている。本実施態様の薄畳１０においては、畳床芯材１２として、インシュレーションファイバーボードを用いている。畳床芯材１２には、図５に示すように、畳床芯材１２の破断を補助するための破断補助溝１５が設けられており、畳床芯材１２を破断補助溝１５が設けられた部分で折り曲げることによって破断補助溝１５に沿って容易に破断することができるようになっている。畳床芯材１２は、破断補助溝１５の一対の側壁が互いに遠ざかる向きに折り曲げると、容易に破断することができる。
【００２９】
破断補助溝１５は、図２に示すように、畳床芯材１２の表面にのみ設けてもよいが、この場合には、畳表１１を破断補助溝１５に沿った部分で予め切断しておかなければ、畳床芯材１２を破断補助溝１５の一対の側壁が互いに遠ざかる向きに折り曲げにくくなるおそれがある。ところが、破断補助溝１５の位置を薄畳１０の表側から認識することは困難であるために、畳表１１を破断予定溝１５に沿った正確な位置で切断することは必ずしも容易ではない。この不具合を解消するために、破断補助溝１５の位置を示すための破断目印を畳表１１の表面に設けると、薄畳１０の外観が悪化するおそれがある。
【００３０】
以上のことを考慮すると、破断補助溝１５は、図３に示すように、畳床芯材１２の裏面に設けると好ましい。これにより、畳床芯材１２を破断補助溝１５の一対の側壁が互いに遠ざかる向きに折り曲げることが可能になる。そして、畳床芯材１２の裏面に滑り止め材１４や裏面材を配し、破断補助溝１５の位置を薄畳１０の裏側から認識することができない場合であっても、図６に示すように、施工後の薄畳１０の外観に影響を及ぼさない滑り止め材１４や裏面材の裏面（薄畳１０の表出裏面）に、破断目印１６（図６における破線で示された部分）を設けることが可能であるために、滑り止め材１４や裏面材を破断補助溝１５に沿って正確に切断することもできる。
【００３１】
また、図４に示すように、破断補助溝１５を畳床芯材１２の表面と裏面の双方に設けることも好ましい。これにより、畳床芯材１２を比較的厚くした場合であっても、薄畳芯材１２を破断しやすくすることが可能になる。この構成は、畳床芯材１２の厚さＴ１が２０ｍｍ以上である場合、特に畳床芯材１２の厚さＴ１が２５ｍｍ以上である場合に採用すると好適である。
【００３２】
畳床芯材１２における破断補助溝１５が設けられた部分の厚さＴ０（図２〜４を参照）は、５〜３５ｍｍであれば特に限定されない。しかし、薄畳芯材１２が薄すぎると、薄畳１０の強度を確保できなくなるおそれがある。畳床芯材１２の厚さＴ０は、６ｍｍ以上であると好ましく、７ｍｍ以上であるとより好ましい。一方、畳床芯材１２が厚すぎると、薄畳１０の重量が大きくなり、薄畳１０の運搬や施工が困難になるおそれがある。畳床芯材１２の厚さＴ０は、３０ｍｍ以下であると好ましく、２５ｍｍ以下であるとより好ましい。
【００３３】
また、畳床芯材１２における破断補助溝１５が設けられていない部分の厚さＴ１［ｍｍ］（図２〜４を参照）は、畳床芯材１２における破断補助溝１５が設けられていない部分の厚さＴ０［ｍｍ］よりも小さければ特に限定されない。しかし、畳床芯材１２の破断強度を考慮すると、畳床芯材１２の厚さＴ１［ｍｍ］は、上記式１を満たす範囲に設定しておくと好ましく、下記式２を満たす範囲に設定しておくとより好ましい。
【数３】
2008038363.tif 000005
【００３４】
参考までに、上記式２を用いて、厚さＴ０が５ｍｍ、１０ｍｍ、１５ｍｍ、２０ｍｍ、２５ｍｍ、３０ｍｍ、３５ｍｍであるそれぞれの場合について、厚さＴ１の範囲を具体的に求めると、下記表２のようになる。
【表２】
2008038363.tif 000006
【００３５】
さらに、破断補助溝１５の幅Ｗ（図２〜４を参照）も、特に限定されないが、破断補助溝１５を狭くしすぎると、畳床芯材１２に意識的に力を加えた際であっても、畳床芯材１２が破断しなくなるおそれがある。このため、破断補助溝１５の幅Ｗは、通常、０．１ｍｍ以上に設定される。破断補助溝１５の幅Ｗは、０．５ｍｍ以上であると好ましく、１ｍｍ以上であるとより好ましい。
【００３６】
一方、破断補助溝１５を広くしすぎると、薄畳１０の表面に凹凸が形成されたり、使用時の薄畳１０に加えられる荷重によって畳床芯材１２が自然に破断するおそれがある。このため、破断補助溝１５の幅Ｗは、通常、２０ｍｍ以下に設定される。破断補助溝の幅Ｗは、１０ｍｍ以下であると好ましく、５ｍｍ以下であるとより好ましく、２ｍｍ以下であるとさらに好ましい。
【００３７】
破断補助溝１５の本数や配置は、畳床芯材１２を家庭ごみとして廃棄できる寸法まで破壊できるのであれば特に限定されないが、本実施態様の薄畳１０においては、図５に示すように、互いに平行な５本の破断補助溝α１〜α５と、破断補助溝α１〜α５に垂直で互いに平行な２本の破断補助溝β１，β２とを設けており、畳床芯材１２を格子状に破断することができるようになっている。
【００３８】
破断補助溝αｍ（ｍは１以上で４以下の任意の整数）と破断補助溝αｍ＋１との間隔Ｄα（図５を参照）や、破断補助溝β１と破断補助溝β２との間隔Ｄβ（図５を参照）も、特に限定されない。しかし、間隔Ｄαや間隔Ｄβを狭くしすぎると、畳床芯材１２の破断作業が困難になるおそれがある。このため、間隔Ｄα及び間隔Ｄβは、通常、５ｃｍ以上に設定される。間隔Ｄα及び間隔Ｄβは、１０ｃｍ以上であると好ましく、１５ｃｍ以上であるとより好ましく、２０ｃｍ以上であるとさらに好ましい。
【００３９】
一方、間隔Ｄαや間隔Ｄβを広くしすぎると、畳床芯材１２を家庭ごみとして廃棄できる寸法まで破壊できなくなるおそれがある。このため、間隔Ｄα及び間隔Ｄβは、通常、６０ｃｍ以下に設定される。間隔Ｄαや間隔Ｄβは、５０ｃｍ以下であると好ましく、３０ｃｍ以下であるとより好ましく、４０ｃｍ以下であるとさらに好ましい。本実施態様の薄畳１０において、間隔Ｄαと間隔Ｄβは、いずれも約２７ｃｍとなっている。
【００４０】
３．薄畳の用途
本発明の薄畳１０は、様々なところで使用することができる。例えば、和室の床に敷き詰めて使用することができる。これにより、住宅などの建築物のバリアフリー化を容易に実現することが可能になる。また、洋室の床板などの上に敷くための置き畳としても好適に用いることができる。これにより、洋室を和洋折衷のお洒落な部屋へ変更したり、洋室を和室へ変更したりすることが容易に行えるようになる。さらに、本発明の薄畳１０は、床に恒常的に敷かれるものに限定されず、床に一時的に敷かれるものとしても好適に使用することができる。例えば、体育館を一時的に柔道場として利用する場合などにも使用することができる。
【図面の簡単な説明】
【００４１】
【図１】本発明の薄畳を破断した状態を示した斜視図である。
【図２】本発明の薄畳を破断補助溝に垂直な面で切断して拡大した拡大断面図である。
【図３】他の実施態様の薄畳を破断補助溝に垂直な面で切断して拡大した拡大断面図である。
【図４】さらに別の実施態様の薄畳を破断補助溝に垂直な面で切断して拡大した拡大断面図である。
【図５】本発明の薄畳を構成する畳床芯材の表面又は裏面を示した図である。
【図６】本発明の薄畳を構成する裏面材の裏面（薄畳の表出裏面）を示した図である。
【符号の説明】
【００４２】
１０   薄畳
１１   畳表
１２   畳床芯材
１３   ポリウレタン製のシート（クッション材）
１４   不織布（滑り止め材）
１５   破断補助溝
１６   破断目印
α１〜αＭ  破断補助溝
β１〜βＭ  破断補助溝
Ｄα    破断補助溝αｍと破断補助溝αｍ＋１との間隔
Ｄβ    破断補助溝βｍと破断補助溝βｍ＋１との間隔
Ｔ０    畳床芯材における破断補助溝が設けられた部分の厚さ
Ｔ１    畳床芯材における破断補助溝が設けられていない部分の厚さ
Ｗ     破断補助溝の幅
【図１】
2008038363.tif 000008
【図２】
2008038363.tif 000009
【図３】
2008038363.tif 000010
【図４】
2008038363.tif 000011
【図５】
2008038363.tif 000012
【図６】
2008038363.tif 000013